(57)【要約】【課題】防水パン同士を接続するときに両者の間隔を調整することができる防水パン設置構造を提供する。【解決手段】防水パン５，６を、それらの周壁５ａ，６ａを相対峙させて配置し、この対峙側と反対側の防水パン５，６の外周を土台２に当接させておく。Ｕ字形断面形状のパッキン１０を両防水パン５，６の周壁５ａ，６ａの間に配置する。この際、張出部１３，１３を周壁５ａ，６ａ上面に当接させる。次に、パッキン１０の縦片部１１，１１間に楔部材２０を押し込み縦片部１１，１１を周壁５ａ，６ａに押し付ける。【選択図】図１
2006132148.tif 000002
【特許請求の範囲】
【請求項１】
ユニットルーム構築予定スペース内に複数枚の防水パンが配置され、該防水パンの周壁同士が対峙している防水パン設置構造において、
該周壁同士の間に、各周壁の対峙面に沿う１対の縦片部と、該縦片部の下部同士を繋ぐ連繋部とを有したパッキンが介在され、
該縦片部同士の間に楔部材が上方から押し込まれ、該楔部材によって該パッキンが該周壁に対し押し付けられていることを特徴とする防水パン設置構造。
【請求項２】
請求項１において、前記パッキンの前記縦片部の上部から、互いに離反方向に張り出す張出部が設けられており、
該張出部が前記周壁の上端に重なっていることを特徴とする防水パン設置構造。
【請求項３】
請求項１又は２において、前記パッキンの各縦片部の上下方向の途中に、互いに接近方向に突出する凸部が設けられていることを特徴とする防水パン設置構造。
【請求項４】
防水パンの周壁同士の間に介在されるパッキンにおいて、
周壁に沿って配置される１対の縦片部と、該縦片部の一端側同士を連繋する連繋部と
を有してなることを特徴とする防水パン用パッキン。
【請求項５】
請求項４において、各縦片部の他端側に、互いに離反方向に張り出す張出部が設けられていることを特徴とする防水パン用パッキン。
【請求項６】
請求項４又は５において、前記各縦片部の一端側と他端側との間に、互いに接近方向に突出する凸部が設けられていることを特徴とする防水パン用パッキン。
【請求項７】
床面部と、該床面部の辺縁から起立する周壁とを有する防水パンを隣接配置し、
双方の防水パンの相対峙する周壁同士を連結部材を介して連結した構造であって、
該連結部材は、該周壁に跨る主板部と、該主板部から垂下する１対の垂下片とを有し、
各垂下片が前記周壁の対峙面と反対面に沿って配置され、
各垂下片が該周壁に連結されている防水パン設置構造において、
少なくとも一方の該垂下片と周壁との間に、防水パン同士の間隔調整用のスペーサを介在させたことを特徴とする防水パン設置構造。
【請求項８】
請求項７において、該スペーサを貫いて前記垂下片から周壁にビスが打ち込まれることにより該垂下片と周壁とが連結されていることを特徴とする防水パン設置構造。
【発明の詳細な説明】
【技術分野】
【０００１】
本発明は、ユニットバスルーム等のユニットルームを構築するための防水パン設置構造と防水パン用パッキンとに関するものである。
【背景技術】
【０００２】
ユニットバスルームを構築するためにユニットルーム構築予定スペースに防水パンを設置する場合、この構築予定スペースに複数の防水パンを搬入し、このスペース内にて防水パン同士を連結して一体化することがある。このような防水パン分割・現場連結方式は、ユニットルームが大型化した場合や、防水パン搬入路が狭い場合などに採用されることが多い。
【０００３】
防水パン同士を現場にて連結する方法として、実開平７−１５８７０号には、防水パン同士を隣接配置してそれらの周縁立上り部同士を対峙させた後、下向きコ字形の部材をこれらの周縁立上り部同士を跨ぐようにして上方から被せ、該コ字形部材をビスで該周縁立上り部に固定する方法が記載されている。
【特許文献１】実開平７−１５８７０号
【発明の開示】
【発明が解決しようとする課題】
【０００４】
上記実開平７−１５８７０号の防水パンの接続方法では、防水パン同士の間隔を調整することができない。本発明は、防水パン同士を接続するときに両者の間隔を調整することができる防水パン設置構造と防水パン用パッキンとを提供することを目的とする。
【課題を解決するための手段】
【０００５】
請求項１の防水パン設置構造は、ユニットルーム構築予定スペース内に複数枚の防水パンが配置され、該防水パンの周壁同士が対峙している防水パン設置構造において、該周壁同士の間に、各周壁の対峙面に沿う１対の縦片部と、該縦片部の下部同士を繋ぐ連繋部とを有したパッキンが介在され、該縦片部同士の間に楔部材が上方から押し込まれ、該楔部材によって該パッキンが該周壁に対し押し付けられていることを特徴とするものである。
【０００６】
請求項２の防水パン設置構造は、請求項１において、前記パッキンの前記縦片部の上部から、互いに離反方向に張り出す張出部が設けられており、該張出部が前記周壁の上端に重なっていることを特徴とするものである。
【０００７】
請求項３の防水パン設置構造は、請求項１又は２において、前記パッキンの各縦片部の上下方向の途中に、互いに接近方向に突出する凸部が設けられていることを特徴とするものである。
【０００８】
請求項４の防水パン用パッキンは、防水パンの周壁同士の間に介在されるパッキンにおいて、周壁に沿って配置される１対の縦片部と、該縦片部の一端側同士を連繋する連繋部とを有してなることを特徴とするものである。
【０００９】
請求項５の防水パン用パッキンは、請求項４において、各縦片部の他端側に、互いに離反方向に張り出す張出部が設けられていることを特徴とするものである。
【００１０】
請求項６の防水パン用パッキンは、請求項４又は５において、前記各縦片部の一端側と他端側との間に、互いに接近方向に突出する凸部が設けられていることを特徴とするものである。
【００１１】
請求項７の防水パン設置構造は、床面部と、該床面部の辺縁から起立する周壁とを有する防水パンを隣接配置し、双方の防水パンの相対峙する周壁同士を連結部材を介して連結した構造であって、該連結部材は、該周壁に跨る主板部と、該主板部から垂下する１対の垂下片とを有し、各垂下片が前記周壁の対峙面と反対面に沿って配置され、各垂下片が該周壁に連結されている防水パン設置構造において、少なくとも一方の該垂下片と周壁との間に防水パン同士の間隔調整用のスペーサを介在させたことを特徴とするものである。
【００１２】
請求項８の防水パン設置構造は、請求項７において、該スペーサを貫いて前記垂下片から周壁にビスが打ち込まれることにより該垂下片と周壁とが連結されていることを特徴とするものである。
【発明の効果】
【００１３】
請求項１〜３の防水パン設置構造及び請求項４〜６のパッキンによると、防水パンの周壁同士の間にパッキンを介在させ、このパッキンの１対の縦片部同士の間に楔部材を押し込んで各縦片部を周壁に押し付ける。この楔部材として厚みの異なるものを用いることにより、防水パン同士の間隔を調整することができる。
【００１４】
請求項２の防水パン設置構造及び請求項５のパッキンによると、パッキンの張出部が周壁上端に係止されるので、パッキンが脱落することが防止される。
【００１５】
請求項３の防水パン設置構造及び請求項６のパッキンによると、楔部材を押し込んでいくと、楔部材が凸部に当るので、楔部材を所定深さまで押し込んだことが知覚される。そのため、過度に深く楔部材を押し込むことが防止されるようになる。また、防水パン間隔が予定寸法よりも若干大きいときには、楔部材をさらに深く押し込み、凸部を楔部材で押圧して縦片部を周壁に押し付けることもできる。
【００１６】
請求項７，８の防水パン設置構造にあっては、垂下片と周壁との間にスペーサが介在されているので、このスペーサとして厚みを異なるものを用いることにより、防水パン同士の間隔を調整することができる。
【００１７】
請求項８の防水パン設置構造にあっては、ビスが該スペーサを貫いているので、スペーサもしっかりと固定される。
【発明を実施するための最良の形態】
【００１８】
以下、図面を参照して実施の形態について説明する。第１図（ａ）は請求項１〜６の発明の実施の形態に係る防水パン設置構造及びパッキンを備えた浴室の床付近の縦断面図、第１図（ｂ）は第１図（ａ）の防水パン接続部の拡大断面図、第２図は第１図の構造を示す分解斜視図である。
【００１９】
第１図の通り、布基礎１上に土台２が設置され、柱３が立設されている。
【００２０】
柱３に囲まれた浴室構築用スペースＳに防水パン５，６が設置されている。各防水パン５，６は土間コンクリート４に対し足ボルト７，８によって支持されている。
【００２１】
防水パン５は洗い場用であり、防水パン６は浴槽用である。各防水パン５，６は、床部５ｂ，６ｂと、その周囲から立ち上がる周壁５ａ，６ａとを有する。
【００２２】
浴槽用防水パン６上には浴槽（図示略）が設置されている。浴槽の洗い場側にはエプロン９が立設されている。防水パン５，６の接続部は、このエプロン９の裏側に配置されている。
【００２３】
防水パン５，６の連結体の周囲に位置する周壁５ａ，６ａは、それぞれ土台２の側面に当接している。防水パン５，６同士の間には、パッキン１０と、防水パン５，６同士の間隔を押し拡げて周壁５ａ，６ａに押し付けるための楔部材２０とが配置されている。
【００２４】
このパッキン１０は、周壁５ａ，６ａの対峙面に沿う１対の縦片部１１，１１と、該縦片部１１，１１の下部同士を連繋する連繋部１２とを有した略Ｕ字形断面形状の細長いゴム製部材である。このパッキン１０は、周壁５ａ，６ａの長手方向に沿って延在している。
【００２５】
縦片部１１，１１の上端からは互いに離反方向に張り出す張出部１３が設けられている。各張出部１３は周壁５ａ，６ａの上端に重なっている。
【００２６】
縦片部１１，１１の対峙面の上下方向の途中からは、互いに接近する方向に凸部１４が突設されている。
【００２７】
楔部材２０は、１対の平行な縦側面を有し、下端が尖った、五角形断面形状の棒状部材である。
【００２８】
防水パン５，６を設置するには、連結部側の周壁５ａ，６ａを相対峙させ、反対側の周壁５ａ，６ａを土台２の側面に当接させて配置する。次に、パッキン１０を周壁５ａ，６ａ間に介在させ、各張出部１３を周壁５ａ，６ａの上端面に重ねる。次いで、縦片部１１，１１間に楔部材２０を押し込み、縦片部１１，１１同士を離反方向に押圧し、周壁５ａ，６ａに密着させる。なお、防水パン５，６は、この連結部と反対側の周壁５ａ，６ａが土台２に当接しているので、楔部材２０を押し込んでもズレ動くことはない。楔部材２０を、その下部が凸部１４に当接するまで十分に押し込む。これにより、防水パン５，６が固定されると共に、それらの連繋部が水密化する。
【００２９】
なお、パッキン５，６間の間隔に応じて、楔部材２０として別の厚みのものを用いる。このような防水パン間隔の変動は柱３の寸法の相違によって生じることが多い。
【００３０】
即ち、柱には一辺が１０５ｍｍの１０５角のものと１２０ｍｍの１２０角のものとがある。柱を１間（１８２０ｍｍ）間隔で立てた場合、柱が１０５角であると、内法（うちのり）寸法は１７１５ｍｍとなり、１２０角であると１７００ｍｍとなり、１５ｍｍの差がある。この実施の形態では、防水パン５，６の第１図左右方向における辺長さの和は１６７０ｍｍである。従って、周壁５ａ，６ａの間隔は３０ｍｍ又は４５ｍｍとなる。そこで、縦片部１１の肉厚をａとした場合、楔部材２０としては、厚み（第１図の左右方向の幅員）が、（４５−２ａ）＋αｍｍのものと、（３０−２ａ）＋αｍｍのものとを用意しておく。この＋αは、楔部材２０を押し込んだときの縦片部１１，１１の合計の圧縮変形代である。そして、柱が１２０角の場合は、厚みが小さい方の楔部材を用い、また、柱が１０５角の場合には、厚みが大きい方の楔部材を用いる。
【００３１】
これにより、１０５角の柱で囲まれた浴室構築用スペースＳの場合、それに応じて防水パン５，６の間隔を大きくし、構築される浴室の床面積を大きくすることが可能である。
【００３２】
厚みの異なる２種類の楔部材を用意する代りに、第３，４図のように、厚みの小さい第１楔部２１ａ又は２１ｂと、厚みの大きい第２楔部２２ａ又は２２ｂとを有した楔部材２０Ａ又は２０Ｂを用いてもよい。
【００３３】
第３図の楔部材２０Ａの場合であれば、防水パン５，６の間隔に応じて楔部材２０Ａを上下反転させていずれか一方の楔部を縦片部１１，１１間に押し込む。
【００３４】
第４図では、防水パン５，６の間隔が小さいので、第１楔部２１ｂが周壁５ａ，６ａ間に挿入されている。防水パン５，６の間隔が大きいときには、第２楔部２２ｂ部分まで縦片部１１，１１間に押し込む。
【００３５】
なお、上記実施の形態では縦片部１１に凸部１４を設けているので、楔部材を押し込んで行ったときに楔部材が凸部１４に当たるので、楔部材を所定深さまで押し込んだことが感取される。また、防水パン５，６の間隔が規定寸法よりも若干大きいときには、楔部材をさらに深く押し込み、凸部１４，１４を押圧して縦片部１１，１１を周壁５ａ，６ａに押し付けることができる。
【００３６】
この実施の形態では、防水パン接続作業時に張出部１３を周壁５ａ，６ａに掛けておくことにより、防水パン接続作業を楽に行うことができる。
【００３７】
第５図は、請求項７，８の発明の実施の形態を示す断面図、第６図は同分解斜視図である。
【００３８】
この実施の形態では、防水パン５，６の周壁５ａ，６ａが間隔をあけて対峙され、各周壁５ａ，６ａの対峙面と反対面にスペーサ３１，３２が重ね合わされ、連結部材４０によって連結されている。この連結部材４０は、この周壁５ａ，６ａ及びスペーサ３１，３２の上側を跨ぐ主板部４１と、該主板部４１の両側辺からスペーサ３１，３２の外向き面（周壁５ａ，６ａと重なる面と反対面）に回り込むように垂下する１対の垂下片４２とを有した下向きコ字形断面形状とされている。
【００３９】
一方の垂下片４２及びスペーサ３１を通してビス４３が周壁５ａに螺じ込まれ、他方の垂下片４２及びスペーサ３２を通してビス４３が周壁６ａに螺じ込まれている。このスペーサ３１，３２のうち少なくとも一方のスペーサとして別厚みのものを用いることにより、防水パン５，６同士の間隔を調整することができる。また、スペーサ３１，３２の一方を省略することによっても防水パン５，６の間隔調整が可能である。
【図面の簡単な説明】
【００４０】
【図１】実施の形態に係る防水パン設置構造及びパッキンを備えた浴室の床付近の縦断面図とその一部の拡大図である。
【図２】第１図の構造を示す分解斜視図である。
【図３】別の実施の形態に用いられる楔部材の断面図である。
【図４】異なる実施の形態を示す第１図（ａ）と同様部分の断面図である。
【図５】さらに異なる実施の形態を示す第１図（ａ）と同様部分の断面図である。
【図６】第５図の分解斜視図である。
【符号の説明】
【００４１】
２  土台
３  柱
５，６  防水パン
５ａ，６ａ  周壁
５ｂ，６ｂ  床面部
１０  パッキン
１１  縦片部
２０，２０Ａ，２０Ｂ  楔部材
３１，３２  スペーサ
４０  連結部材
４１  主板部
４２  垂下片
【図１】
2006132148.tif 000003
【図２】
2006132148.tif 000004
【図３】
2006132148.tif 000005
【図４】
2006132148.tif 000006
【図５】
2006132148.tif 000007
【図６】
2006132148.tif 000008